(57)【特許請求の範囲】
【請求項１】
設備機器のエネルギー消費量を監視する設備機器監視装置により該エネルギー消費量を管理するエネルギー管理装置において、
前記設備機器監視装置による監視によって得られた前記設備機器の実際のエネルギー消費量を示す消費量データを取得する消費量取得手段と、
一定時間を単位として、目標とするエネルギー消費量である目標エネルギー消費量を示す目標パターンデータを記憶したパターン記憶手段と、
前記消費量取得手段が取得した消費量データが示すエネルギー消費量に応じて、前記パターン記憶手段に記憶された前記目標パターンデータが前記一定時間毎に示す目標エネルギー消費量のなかで修正すべき目標エネルギー消費量を選択して修正することにより修正目標パターンデータを生成するパターン修正手段と、
前記パターン記憶手段に記憶された目標パターンデータ、及び前記パターン修正手段によって生成された修正目標パターンデータのうちの一方を用いて、前記設備機器監視装置を介して前記設備機器のエネルギー消費量を管理する消費量管理手段と、を具備し、
前記目標パターンデータが前記一定時間毎に示す目標エネルギー消費量は、前記設備機器により過渡的に消費するエネルギー量に対して設定された目標値であり、
前記消費量管理手段は、前記過渡的に消費するエネルギー量を対象にして、前記設備機器のエネルギー消費量を管理する、
ことを特徴とするエネルギー管理装置。
【請求項２】
前記パターン修正手段は、予め定めた時間範囲である管理区分が設定されている場合、該管理区分別に、前記消費量取得手段が取得した消費量データが示すエネルギー消費量に応じた前記目標パターンデータの修正を行う、
ことを特徴とする請求項１記載のエネルギー管理装置。
【請求項３】
前記パターン修正手段は、前記目標エネルギー消費量の上限値が設定されている場合、該上限値を前記修正によって超えない目標エネルギー消費量のなかから前記修正すべき目標エネルギー消費量を選択する、
ことを特徴とする請求項１記載のエネルギー管理装置。
【請求項４】
前記パターン修正手段は、既存の修正目標パターンデータが存在する場合、前記消費量取得手段が取得したエネルギー消費量に応じて、該修正目標パターンデータを対象に前記修正を行い、別の修正目標パターンデータを生成する、
ことを特徴とする請求項１記載のエネルギー管理装置。
【請求項５】
設備機器のエネルギー消費量を管理するために用意され、一定時間を単位として、目標とするエネルギー消費量である目標エネルギー消費量を示す目標パターンデータを修正する装置であって、
前記設備機器のエネルギー消費量を監視する設備機器監視装置によって得られた該設備機器の実際のエネルギー消費量を示す消費量データを取得する消費量取得手段と、
前記消費量取得手段が取得した消費量データが示すエネルギー消費量に応じて、前記目標パターンデータが前記一定時間毎に示す目標エネルギー消費量のなかで変更すべき目標エネルギー消費量を選択して変更することにより、該目標パターンデータを修正するパターン修正手段と、を具備し、
前記目標パターンデータが前記一定時間を単位として示す目標エネルギー消費量は、前記設備機器により過渡的に消費するエネルギー量に対して設定された目標値である、
ことを特徴とするパターン修正装置。
【請求項６】
設備機器のエネルギー消費量を監視する設備機器監視装置により該エネルギー消費量を
管理するエネルギー管理装置として用いることが可能なコンピュータに、
前記設備機器監視装置による監視によって得られた前記設備機器の実際のエネルギー消費量を示す消費量データを取得する消費量取得機能と、
前記消費量取得手段が取得した消費量データが示すエネルギー消費量に応じて、記憶装置に記憶されている目標パターンデータが一定時間を単位として示す目標エネルギー消費量のなかで修正すべき目標エネルギー消費量を選択して修正することにより修正目標パターンデータを生成するパターン修正機能と、
前記目標パターンデータ、及び前記パターン修正機能によって生成された修正目標パターンデータのうちの一方を用いて、前記設備機器監視装置を介して前記設備機器のエネルギー消費量を管理する消費量管理機能と、を実現させ、
前記目標パターンデータが前記一定時間毎に示す目標エネルギー消費量は、前記設備機器により過渡的に消費するエネルギー量に対して設定された目標値であり、
前記消費量管理機能は、前記過渡的に消費するエネルギー量を対象にして、前記設備機器のエネルギー消費量を管理する、
ことを特徴とするプログラム。
【発明の詳細な説明】
【技術分野】
【０００１】
本発明は、設備機器のエネルギー消費量を監視する設備機器監視装置によりそのエネルギー消費量を管理するエネルギー管理装置に関する。
【背景技術】
【０００２】
近年では、設備機器によるエネルギー消費量を監視し、そのエネルギー消費量をより抑えるための管理を行うことが提案されている。エネルギー管理装置は、その管理を行うためのものであり、従来のエネルギー管理装置としては、例えば特許文献１に記載されたものがある。
【０００３】
特許文献１に記載された従来のエネルギー管理装置は、設備機器のエネルギー消費量を監視する設備機器監視装置と通信ネットワークを介して接続され、その設備機器監視装置から累積エネルギー消費量（１日のエネルギー消費量の累算値）を所定の時刻毎に受信する。それにより、設備機器監視装置を介して、所定の時刻毎の目標とする累積エネルギー消費量を示す目標パターン（データ）に沿って設備機器のエネルギー消費量を管理している。その管理により、実際の累積エネルギー消費量はより抑えることができる。
【特許文献１】特許第３８３９４４０号公報
【発明の開示】
【発明が解決しようとする課題】
【０００４】
上記特許文献１に記載の従来のエネルギー管理装置による目標パターンに沿ったエネルギー消費量の管理は、目標パターンを所定の割合だけ増加させたアラームライン（警報値のライン）を設定し、累積エネルギー消費量がアラームライン以上となった場合に、エネルギー消費量を減らすように操作することで行っていた。しかし、そのような管理では、設備機器全体のエネルギー消費量が大きい状況下でエネルギー消費量を強制的に抑えることになる。なぜなら、単位時間当たりの実際のエネルギー消費量が目標パターンで想定しているエネルギー消費量より大きくなければ、累積エネルギー消費量がアラームライン以上となることはないからである。このため、設備機器が実際に必要とするエネルギー量を必ずしも供給（確保）できないという問題点があった。
【０００５】
設備機器のなかには、例えば冷蔵庫、冷凍庫のように常にエネルギーを消費するものが存在する場合がある。アラームラインを想定した管理では、そのような設備機器に必要なエネルギーを確実に供給することはできない。
【０００６】
例えばスーパーマーケットの惣菜を生産・販売する惣菜部門では、売り場の品揃えによる要請と実際の売れ行き傾向から、昼頃までには一通りの品揃えを終え、夕方に向けて必要な品の追加や補充を行うといった生産計画が立てられる。しかし実際には、生産作業は従業員に依存し、売れ行きは顧客に依存する。このため、時間の経過によって味が変化する惣菜の生産では、状況に応じた対応が必要不可欠である。状況によっては、実際に必要とする累積エネルギー消費量が一時的に、目標パターンから設定するアラームラインを大きく超える場合もある。アラームラインを想定した管理では、そのような場合に適切に対応できない。
【０００７】
このようなことから、設備機器のエネルギー消費量の管理を適切に行うには、その管理の対象となる設備機器の種類やその設備機器の使われ方を考慮することも重要と考えられる。
【０００８】
本発明は、設備機器のエネルギー消費量をより適切に管理するための技術を提供することを目的とする。
【課題を解決するための手段】
【０００９】
本発明のエネルギー管理装置は、設備機器のエネルギー消費量を監視する設備機器監視装置により該エネルギー消費量を管理することを前提とし、設備機器監視装置による監視によって得られた設備機器の実際のエネルギー消費量を示す消費量データを取得する消費量取得手段と、一定時間を単位として、目標とするエネルギー消費量である目標エネルギー消費量を示す目標パターンデータを記憶したパターン記憶手段と、消費量取得手段が取得した消費量データが示すエネルギー消費量に応じて、パターン記憶手段に記憶された目標パターンデータが一定時間毎に示す目標エネルギー消費量のなかで修正すべき目標エネルギー消費量を選択して修正することにより修正目標パターンデータを生成するパターン修正手段と、パターン記憶手段に記憶された目標パターンデータ、及びパターン修正手段によって生成された修正目標パターンデータのうちの一方を用いて、設備機器監視装置を介して設備機器のエネルギー消費量を管理する消費量管理手段と、を具備し、目標パターンデータが一定時間毎に示す目標エネルギー消費量は、設備機器により過渡的に消費するエネルギー量に対して設定された目標値であり、消費量管理手段は、過渡的に消費するエネルギー量を対象にして、設備機器のエネルギー消費量を管理する。
【００１０】
なお、上記パターン修正手段は、予め定めた時間範囲である管理区分が設定されている場合、該管理区分別に、消費量取得手段が取得した消費量データが示すエネルギー消費量に応じた目標パターンデータの修正を行う、ことが望ましい。また、目標エネルギー消費量の上限値が設定されている場合、該上限値を修正によって超えない目標エネルギー消費量のなかから修正すべき目標エネルギー消費量を選択する、ことが望ましい。
【００１１】
また、パターン修正手段は、既存の修正目標パターンデータが存在する場合、消費量取得手段が取得したエネルギー消費量に応じて、該修正目標パターンデータを対象に修正を行い、別の修正目標パターンデータを生成する、ことが望ましい。
【００１２】
本発明のパターン修正装置は、設備機器のエネルギー消費量を管理するために用意され、一定時間を単位として、目標とするエネルギー消費量である目標エネルギー消費量を示す目標パターンデータを修正することを前提とし、設備機器のエネルギー消費量を監視する設備機器監視装置によって得られた該設備機器の実際のエネルギー消費量を示す消費量データを取得する消費量取得手段と、消費量取得手段が取得した消費量データが示すエネルギー消費量に応じて、目標パターンデータが一定時間毎に示す目標エネルギー消費量のなかで変更すべき目標エネルギー消費量を選択して変更することにより、該目標パターンデータを修正するパターン修正手段と、を具備し、目標パターンデータが一定時間を単位として示す目標エネルギー消費量は、設備機器により過渡的に消費するエネルギー量に対して設定された目標値である。
【００１３】
本発明のプログラムは、設備機器のエネルギー消費量を監視する設備機器監視装置により該エネルギー消費量を管理するエネルギー管理装置として用いることが可能なコンピュータに、設備機器監視装置による監視によって得られた設備機器の実際のエネルギー消費量を示す消費量データを取得する消費量取得機能と、消費量取得手段が取得した消費量データが示すエネルギー消費量に応じて、記憶装置に記憶されている目標パターンデータが一定時間を単位として示す目標エネルギー消費量のなかで修正すべき目標エネルギー消費量を選択して修正することにより修正目標パターンデータを生成するパターン修正機能と、目標パターンデータ、及びパターン修正機能によって生成された修正目標パターンデータのうちの一方を用いて、設備機器監視装置を介して設備機器のエネルギー消費量を管理する消費量管理機能と、を実現させ、目標パターンデータが一定時間毎に示す目標エネルギー消費量は、設備機器により過渡的に消費するエネルギー量に対して設定された目標値であり、消費量管理機能は、過渡的に消費するエネルギー量を対象にして、設備機器のエネルギー消費量を管理する。
【発明の効果】
【００１４】
本発明では、設備機器のエネルギー消費量を管理するために用意され、一定時間を単位として、目標とするエネルギー消費量である目標エネルギー消費量を示す目標パターンデータを、そのエネルギー消費量を監視する設備機器監視装置によって得られたその設備機器の実際のエネルギー消費量を示す消費量データに応じて、目標パターンデータが一定時間毎に示す目標エネルギー消費量のなかで変更すべき目標エネルギー消費量を選択して変更することにより修正する。
【００１５】
そのように修正することにより、実際のエネルギー消費量が目標エネルギー消費量を上回っても、直ちにエネルギー消費量を抑えるようなことは高い確率で回避できるようになる。全体ではエネルギー消費量の増大を回避しつつ、一時的に多くのエネルギー量を必要とするときにはそのエネルギー量を高い確率で確保できるようになる。このようなことから、設備機器のエネルギー消費量はより適切に管理されることとなる。特に、設備機器の使用状態（製品の生産における作業実態、等）に合った形でエネルギー消費量を管理できることとなる。
【００１６】
目標パターンデータが一定時間毎に示す目標エネルギー消費量を、設備機器により過渡的に消費するエネルギー量に対して設定された目標値とした場合には、設備機器が定常的に消費する分のエネルギー量は確実に確保（供給）できるようになる。従い、設備機器のエネルギー消費量は更に適切に管理できることとなる。
【発明を実施するための最良の形態】
【００１７】
以下、本発明の実施の形態について、図面を参照しながら詳細に説明する。
図１は、本実施形態によるエネルギー管理装置を用いて構築されたネットワークシステムの構成を示す図である。そのエネルギー管理装置（以降「管理装置」と略記）１は、通信ネットワーク２を介して複数の設備機器監視装置３と接続されている。
【００１８】
各設備機器監視装置３は、一つ以上の設備機器（不図示）のエネルギー消費量を監視・制御するものであり、設備機器計測部３１や通信部３２を備えている。設備機器計測部３１は、設備機器で実際に消費されたエネルギー量を例えば一定時間毎に計測するものであり、その計測結果は通信部３２により通信ネットワークを介して管理装置１に送信される。
【００１９】
その管理装置１を説明する前に、本実施形態におけるエネルギー管理方法について図３〜図９Ｂを参照し具体的に説明する。その管理方法は、例えばスーパーマーケットの惣菜部門のように、状況に応じて必要なエネルギー量が変動する、製品を生産するための設備機器のエネルギー管理を想定したものである。
【００２０】
図３は、本実施形態におけるエネルギー管理の対象とするエネルギー消費量を説明する図である。図３（ａ）は１日におけるすべての設備機器による（実際の）エネルギー消費量を１時間（単位時間）毎に示すグラフ、図３（ｂ）は１日のなかで過渡的に（状況に応じて）消費される（実際の）エネルギー量を１時間（単位時間）毎に示すグラフである。図３（ａ）及び図３（ｂ）共に、縦軸はエネルギー消費量、横軸は時刻（時間）を示している。
【００２１】
図３（ａ）に示すようにエネルギー消費量は、作業時間外でも定常的に消費される分（以降「時間外定常消費量」と呼ぶ）、作業時間内で定常的に消費される分（以降「時間内定常消費量」と呼ぶ）、及び作業時間内で過渡的に消費される分（以降「時間内過渡消費量」と呼ぶ）に大別することができる。
【００２２】
上記時間外定常消費量は、作業時間外か否かに係わらず、最低限、必要なエネルギー量
に相当する。その消費量を発生させる設備機器としては、例えば冷蔵庫や冷凍庫のような常に電源をオンとさせておくものが相当する。
【００２３】
上記時間内定常消費量は、作業時間内で最低限、必要なエネルギー量に相当する。その消費量を発生させる設備機器としては、例えば排気ファンのように作業時間内は常に電源をオンとさせておくものが相当する。上記時間内過渡消費量は、作業時間内に必要に応じて使用される設備機器によって発生するエネルギー消費量に相当する。その設備機器としては、例えば電子レンジのような電気加熱調理器が相当する。
【００２４】
図３（ａ）では、時間外定常消費量および時間内定常消費量は時刻に係わらず常に一定としている。しかし、それらは時刻によって或る程度、変動するのが普通である。これは、例えば冷蔵庫や冷凍庫は作業時間内では頻繁に開閉されるのが普通だからである。そのような変動分については、混乱を避けるために無視している。
【００２５】
上記の消費量のなかで、時間外定常消費量および時間内定常消費量は作業を行ううえで必要な最小限のエネルギー量である。このため本実施形態では、図３（ｂ）に示す時間内過渡消費量のみを対象としたエネルギー管理を行うようにしている。それにより、必要な最小限のエネルギー量は確実に確保（供給）する。
【００２６】
図４Ａは、１時間毎のエネルギー消費量の実績値が目標値を下回った場合の目標値の修正方法を説明する図であり、図４Ｂは、その目標値および実績値の累積値を示す図である。図４Ａ及び図４Ｂ共に、縦軸はエネルギー消費量、横軸は時間（時刻）をそれぞれ示している。図４Ａでは、実績値は斜線を付した枠（棒グラフ）で示し、目標値は単なる枠（棒グラフ）で示している。図４Ｂでは、実績値（の累積値）は太い折れ線（折れ線グラフ）と斜線を付した枠（棒グラフ）で示し、目標値（の累積値）は細い折れ線（折れ線グラフ）と単なる枠（棒グラフ）で示している。これらは図５Ａ及び図５Ｂでも同様である。
【００２７】
図４Ａ中の横軸と平行な破線、実線は、それぞれエネルギー消費量で定めた１単位分の間隔で示している。実線は目標値とするエネルギー消費量の１時間（一定時間に相当する単位時間）当たりの上限値を示している。その１単位のエネルギー消費量は例えば１０ｋＷｈである。その単位は以降「消費単位」と呼ぶことにする。
【００２８】
その上限値は、過去のデータ、或いはシミュレーションから設定したものである。本実施形態では図７に示すように、上記消費単位でエネルギー消費量を示す値としている。エネルギー消費量の管理は、その消費単位で行う。
【００２９】
図４Ａに示すエネルギー消費量の目標値は、図３（ｂ）に示す時間内過渡消費量を目標値としたものである。その目標値は、例えば図６に示すように、テーブル形式で単位時間（ここでは１時間）毎に設定される。そのテーブル形式で設定された目標値が目標パターンデータに相当する。
【００３０】
図４Ａ及び図４Ｂに表記の「管理区分」は、エネルギー消費量の管理を独立して行う時間範囲に相当するものである。その境界が１４時となっていることから、ここでのエネルギー消費量の管理は、０〜１４時の時間帯と、１４〜２４時の時間帯とに分けて行われる。
【００３１】
図４Ａ及び図４Ｂから明らかなように、１３〜１５時の時間帯では時間内過渡消費量は０消費単位となっている。これは、１３〜１５時の間に休憩、及びそれ以降の生産計画の立案等の作業が入ることにより、生産は行われない予定となっているためである。このことから、１３〜１５時の間の１４時に管理区分の境界を設定し、エネルギー消費量の管理
は管理区分毎に行うようにしている。その管理区分の設定は、例えば図８に示すようにテーブル形式で行うことができる。
【００３２】
上記管理区分別にエネルギー消費量の管理を行う場合、或る管理区分での管理が別の管理区分に影響するのは回避される。その回避により、エネルギー量が目標パターンデータと異なる形で一時的に消費されても、そのような消費に応じた管理を行う範囲は局所化される。それにより、複雑化を抑えつつ、適切な管理を行えるようになる。
【００３３】
例えば製品の売れ行きのバラツキにより、或る時間帯全体での累積エネルギー消費量（累積値）が目標パターンデータのそれとほぼ一致しているにも係わらず、単位時間当たりのエネルギー消費量が異なるような状況になる場合がある。また、或る設備機器に発生した不具合により、エネルギー消費量が変動する場合がある。より具体的には、或る設備機器に不具合が存在する間に製品の生産が行えずにエネルギー消費量が小さくなり、その不具合解消後は製品の生産を急ぐためにエネルギー消費量が大きくなる場合がある。局所的な（比較的に短い時間範囲での）管理により、そのような場合にも適切に対応することができる。
【００３４】
図４Ａに示す例では、エネルギー消費量の実績値は７〜８時の時間帯では１消費単位、８〜９時の時間帯では２消費単位、９〜１０時の時間帯では２消費単位となっている。それにより、８〜１０時の２時間の間で実績値は１消費単位ずつ目標値を下回っている。このため１１〜１２時の時間帯の目標値は２消費単位から３消費単位に、１２〜１３時の時間帯の目標値は１消費単位から２消費単位にそれぞれ修正されている。
【００３５】
このようにして図４Ｂに示すように、実績値の累積値が目標値の累積値を越えないように制限しつつ、１時間当たりの実績値が目標値を下回った時間のその下回った分を別の時間帯に追加する形で割り当てるようにして、つまり下回った分を後倒しするようにして、オリジナルの目標パターンデータを修正している。そのように修正した目標パターンデータ（修正目標パターンデータ）を生成した場合、その生成した目標パターンデータを用いてエネルギー消費量の管理が行われる。
【００３６】
単位時間に実際に消費されるエネルギー量に応じて随時、修正目標パターンデータが生成され、有効とするパターンデータ、つまり実際の管理に用いるパターンデータが目標パターンデータから修正目標パターンデータに、或いは修正目標パターンデータから別の修正目標パターンデータに変更される。それにより図４Ａ及び図４Ｂに示すケースでは、９時、及び１０時に修正目標パターンデータが生成されている。このように修正目標パターンデータは必要に応じて順次、生成することから、有効とするパターンデータについては以降「有効目標パターンデータ」と呼ぶことにする。
【００３７】
図５Ａは、１時間毎のエネルギー消費量の実績値が目標値を上回った場合の目標値の修正方法を説明する図であり、図５Ｂは、その目標値および実績値の累積値を示す図である。次に図５Ａ及び図５Ｂを参照して、その場合における目標値の修正方法について具体的に説明する。ここでは、１時間毎のエネルギー消費量の目標値、つまり目標パターンデータは図４Ａに示すものと同じであり、上限値は設定されていないと想定している。
【００３８】
図５Ａに示すように、８〜９時の時間帯では、３消費単位の目標値を越える４消費単位のエネルギー量が消費されている。このため、そのことが判明した後に、１２〜１３時の時間帯の目標値が１消費単位から０消費単位に修正されている。９〜１０時の時間帯で３消費単位の目標値を超える４消費単位のエネルギー量が消費されたことが判明した後には、１１〜１２時の時間帯の目標値が２消費単位から１消費単位に修正されている。
【００３９】
そのようにして、実績値の累積値が目標値の累積値を越えないように制限しつつ、１時間当たりの実績値が目標値を上回った時間のその上回った分に別の時間帯の目標値分を割り当てるようにして、つまり上回った分には以降の時間帯の目標値分を前倒しするようにして、オリジナルの目標パターンデータ、或いは修正目標パターンデータを修正している。このため、１時間毎のエネルギー消費量の実績値が目標値を下回った場合と同様に、複雑化を抑えつつ、適切な管理を行うことができる。実績値が目標値を上回っても、エネルギー量の消費を低減可能な時間帯で低減し、直ちに低減するのを回避するようにしたため、必要とするエネルギー量が目標値と比較して大きい状況下でもその状況に合った形で管理することができる。
【００４０】
修正目標パターンデータの生成は、上述したように、単位時間の実績値が目標値と異なる（上記消費単位での判定である）ことが判明する度に行われる。その生成自体は、有効目標パターンデータを修正することで行われる。このことから、図９Ａ及び図９Ｂに示すように修正目標パターンデータは、それを生成した時刻（修正時刻）を付して管理している。図９Ａ及び図９Ｂ中の太い折れ線は、目標値が修正された箇所を示している。それにより、その太線より上側は実績値と一致する。
【００４１】
図１に示す管理装置１の説明に戻る。
その管理装置１は、上述したようなエネルギー消費量の管理を行うものであり、図１に示すように、通信部１０１、実績値記憶部１０２、累積実績値記憶部１０３、表示部１０４、判定部１０５、管理区分設定部１０６、目標値修正部１０７、目標値設定部１０８、修正済目標値記憶部１０９、累積目標値記憶部１１０、及び入出力部１１１を備えている。それら各部１０１〜１１１は以下のようなものである。
【００４２】
通信部１０１は、通信ネットワーク２を介して各設備機器監視装置３との間でデータの送受信を行うためのものである。実績値記憶部１０２は、通信部１０１を介して設備機器監視装置３から受信した実績値（実際に消費されたエネルギー量を示す消費量データ）を保存するためのものである。ここでは説明上、便宜的に、各設備機器監視装置３は目標パターンデータとして目標値が設定される単位時間（１時間）毎にその単位時間の実績値（エネルギー消費量）の計測を行うと想定する。計測した実績値は各設備機器監視装置３側から自律的に管理装置１に送信しても良いが、管理装置１側からの要求により送信することとする。つまり、管理装置１は単位時間間隔で各設備機器監視装置３から直前の単位時間の実績値を収集（取得）するものと想定する。
【００４３】
累積実績値記憶部１０３は、実績値記憶部１０２に格納された実績値を累積（累算）して、最後に格納された実績値までの全ての実績値を合計した累積値（図４Ｂ、図５Ｂ）を算出して記憶する。表示部１０４は、例えば不図示の表示装置上に画像を表示させるためのものであり、累積実績値記憶部１０３に格納された累積値は図４Ａ或いは図５Ｂのように表示させる。
【００４４】
図６に示すように、目標パターンデータは１日の目標値を１時間毎に設定したものである。このことから、上記実績値記憶部１０２及び累積実績値記憶部１０３におけるデータの保存（格納）は日で分けて行われる。
【００４５】
管理区分設定部１０６は、管理区分の設定を行うためのものであり、例えば図８に示すようにテーブル形式で管理区分毎にその時間帯を示すデータを格納している。目標値設定部１０８は、目標パターンデータを格納した記憶部であり、図６に示すように、テーブル形式で単位時間の時間帯毎に目標値が設定されている。目標値修正部１０７は、目標値設定部１０８に格納された目標パターンデータを修正するものであり、その修正によって得られた修正目標パターンデータは修正済目標値記憶部１０９に格納される。
【００４６】
その目標値修正部１０７は、修正済目標値記憶部１０９に既に修正目標パターンデータが存在する場合、修正はその修正目標パターンデータを対象に行う。それにより、修正目標パターンデータは例えば図９Ａ或いは図９Ｂに示すように修正済目標値記憶部１０９に格納される。
【００４７】
本実施形態では、図４Ａ及び図７に示す上限値を設定可能としている。その上限値は、管理区分設定部１０６、或いは目標値設定部１０８に格納される。管理区分設定部１０６及び目標値設定部１０８へのデータの格納は、入出力部１１１によって行われる。その入出力部１１１は、ユーザー（オペレータ）の操作に従って、その操作により入力、或いは指定されたデータを管理区分設定部１０６或いは目標値設定部１０８に格納するものである。
【００４８】
累積目標値記憶部１１０は、修正済目標値記憶部１０９に格納された修正目標パターンデータ毎に、各時刻（０〜２４時の間を１時間間隔）で目標値の累積値を算出して記憶する。
【００４９】
判定部１０５は、実績値記憶部１０２、累積実績値記憶部１０３、目標値設定部１０８、修正済目標値記憶部１０９、及び累積目標値記憶部１１０にそれぞれ格納されたデータを参照して、有効目標パターンデータ（目標パターンデータ、或いは修正目標パターンデータ）を修正すべきか否か判定し、その判定結果に応じて目標値修正部１０７を制御する。それにより、修正すべきと判定した場合には、目標値修正部１０７に必要な情報を提供し、修正を指示する。その結果、図４Ａ或いは図５Ａに示すような修正が行われる。目標値修正部１０７に提供する情報とは、具体的には、実績値と目標値の差分（消費単位で表した値である）である。
【００５０】
上記判定部１０５は、各設備機器監視装置３を介してエネルギー消費量の管理を行う。その管理は、エネルギー消費量（実績値）の累積値、有効目標パターンデータでの累積値、対象となる管理区分で許容されているエネルギー消費量、及び現在時刻等に応じて行う。その管理によるエネルギー消費量の削減（抑制）のための制御は、具体的には、例えば実績値の累積値が有効目標パターンデータでの総累積値以上の状況となった設備機器監視装置３を対象に行う。それにより判定部１０５は、累積値が有効目標パターンデータを上回る分が小さくなるように、通信部１０１を介してその対象となる設備機器監視装置３に指示を行い、エネルギー消費を抑えさせる。
【００５１】
なお、その指示は、実績値の累積値が有効目標パターンデータの現在時刻での累積値を越え、それらの間の差分（＝実績値の累積値−有効目標パターンデータでの累積値）と、有効目標パターンデータの現在時刻から管理区分の境界までに設定されている目標値の累積値との差が所定値以下となった状況、つまり消費されるエネルギー量を強制的に抑えなければ累積値が有効目標パターンデータを上回る可能性が高いと予想される状況となった設備機器監視装置３を対象に行うようにしても良い。そのようにした場合には、累積値が有効目標パターンデータを上回らないように、エネルギー消費を抑えさせることができるようになる。
【００５２】
管理装置１は、上述したような各部１０１〜１１１を備えている。本実施形態によるパターン修正装置は、例えば表示部１０４を除く各部１０１〜１０３及び１０５〜１１０によって実現される。それにより管理装置１上で実現されている。その実現は、管理装置１以外の装置上で行っても良く、或いは専用の装置として実現させても良い。
【００５３】
その管理装置１（及びパターン修正装置）は、コンピュータ（が搭載のＣＰＵ）に、上
記各部１０１〜１１１を実現させる機能を搭載したプログラムを実行させたものである。そのプログラムによる有効目標パターンデータの修正は、例えば１時間間隔で発生する割り込み信号により、そのプログラムを構成するサブプログラムを起動させることで行われる。各部１０２、１０３、１０６、及び１０８〜１１０がそれぞれ格納するデータは、例えば補助記憶装置、或いは半導体メモリに格納されている。そのコンピュータは、ＣＰＵ、補助記憶装置、半導体メモリの他に、例えば通信ネットワーク２を介した通信を行うための通信装置、表示装置上に画像を表示させるための表示制御装置、光ディスク等の記録媒体を駆動する媒体駆動装置、及びキーボードやポインティングデバイスへの操作を検出する入力制御装置などを搭載したものである。
【００５４】
図２は、そのサブプログラムを実行することで実現される定時処理のフローチャートである。その定時処理は、設備機器監視装置３が計測した単位時間の実績値を収集し、必要に応じて、修正すべき有効目標パターンデータの修正を行うための処理である。次に図２を参照して、その定時処理について詳細に説明する。ここでは便宜的に、修正の対象となる有効目標パターンデータは一つ、つまり実績値を収集する設備機器監視装置３は１台のみとしている。
【００５５】
上述したように、エネルギー消費量の管理は管理区分毎に行うようにしている。それにより図２の説明では、実績値の累積値（図中「区間内実績累積値」と表記）は現在の管理区分での累積値を意味し、目標値の累積値（図中「区間内目標累積値」と表記）はその管理区分での総累積値を意味している。
【００５６】
先ず、ステップＳ１では、通信部１０１を介して設備機器監視装置３に実績値の送信を要求してそれを取得する。続くステップＳ２では、実績値と目標値を比較し、その間の大小関係を判定する。それらが例えば０．５消費単位未満の範囲内で一致していた場合、それらは等しいと判定し、有効目標パターンデータは修正する必要がないとして、ここで定時処理を終了する。
【００５７】
実績値が目標値より０．５消費単位以上、小さい場合には、実績値は目標値より小さいと判定し、ステップＳ３に移行して、実績値の累積値（図中「区間内実績累積値」と表記）と目標値の累積値（図中「区間内目標累積値」と表記）を比較し、その間の大小関係を判定する。実績値の累積値（現在の管理区分での累積値）のほうが例えば０．５消費単位以上、小さい場合、その累積値は目標値のそれ（現在の管理区分での総累積値）よりも小さいと判定してステップＳ５に移行し、上限値が設定されていればその上限値を上回らない時間帯の目標値を、当該管理区分の総累積値を上回らない範囲で後倒しに修正し（図４Ａ）、その修正によって得られた修正目標パターンデータを保存した後、ステップＳ６に移行する。そうでない場合には、実績値の累積値は目標値のそれ以上と判定してステップＳ４に移行する。
【００５８】
ステップＳ４では、現在の管理区分に割り当てられた目標値の総累積値分のエネルギー量を消費したことから、その旨を通知するための警報を出力、例えば表示装置上にメッセージを出力させた後、ステップＳＥ１の異常処理を実行する。この異常処理は、例えば定時処理とは別のサブルーチン処理として実行されるものである。
【００５９】
一方、ステップＳ６では、管理区分の境界か否か判定する。その境界（図８の例では０時、或いは１４時）が到来した場合、判定はＹＥＳとなってステップＳ４に移行し、直前のステップＳ５で作成した修正目標パターンデータを廃棄すると共に、管理区分が変わる（移行する）旨を警告として出力した後、ステップＳＥ１の異常処理を実行する。そうでない場合には、判定はＮＯとなり、ここで定時処理を終了する。
【００６０】
上記異常処理は、例えば以降のエネルギー消費量の管理を状況に応じて行うためのものである。その異常処理により、例えば現在の管理区分で消費を認めるエネルギー量の超過分の割り当てや、エネルギー消費量の抑制、次の管理区分への対応（移行）、等が自動的に、或いはオペレータの指示により実現される。それによりステップＳ６からの移行では、目標値の総累積値の設定や実績値の累積値のクリア等を行い、次の管理区分でのエネルギー消費量の管理に備えることになる。ステップＳ３からの移行では、現在の管理区分でのエネルギー消費量の管理を続行するための処理や、消費を認めるエネルギー量の超過分の割り当て、設備機器監視装置３を介したエネルギー消費量の抑制、等を必要に応じて行うこととなる。そのようにして本実施形態では、エネルギー消費量の抑制は、修正目標パターンデータの生成で対応できなくなった場合に行うようにしている。
【００６１】
実績値が目標値より０．５消費単位以上、大きい場合には、上記ステップＳ２で実績値は目標値より大きいと判定され、ステップＳ７に移行する。そのステップＳ７では、ステップＳ３と同様に、実績値の累積値と目標値の累積値（総累積値）を比較し、その間の大小関係を判定する。実績値の累積値のほうが例えば０．５消費単位以上、小さい場合、その累積値は目標値のそれよりも小さいと判定してステップＳ９に移行し、上限値が設定されていればそれを越えないように考慮しつつ、初期の目標値（目標パターンデータ）の当該管理区分全ての累積値を上回らない範囲で目標値を前倒しに修正し（図５Ａ）、その修正によって得られた修正目標パターンデータを保存した後、ステップＳ１０に移行する。そうでない場合には、実績値の累積値は目標値のそれ以上と判定してステップＳ８に移行する。
【００６２】
ステップＳ８では、現在の管理区分に割り当てられた目標値の総累積値分のエネルギー量を消費したことから、その旨を通知するための警報を出力、例えば表示装置上にメッセージを出力させた後、ステップＳＥ２の異常処理を実行する。この異常処理は、ステップＳＥ１で実行される異常処理と同様に、例えば定時処理とは別のサブルーチン処理として実行されるものである。
【００６３】
一方、ステップＳ１０では、管理区分の境界か否か判定する。その境界（図８の例では０時、或いは１４時）が到来した場合、判定はＹＥＳとなってステップＳ８に移行し、直前のステップＳ９で作成した修正目標パターンデータを廃棄すると共に、管理区分が変わる（移行する）旨を警告として出力した後、ステップＳＥ２の異常処理を実行する。そうでない場合には、判定はＮＯとなり、ここで定時処理を終了する。
【００６４】
上記異常処理は、ステップＳＥ１の異常処理と同様に、例えば以降のエネルギー消費量の管理を状況に応じて行うためのものである。その異常処理により、例えば現在の管理区分で消費を認めるエネルギー量の超過分の割り当てや、エネルギー消費量の抑制、次の管理区分への対応（移行）、等が自動的に、或いはオペレータの指示により実現される。それによりステップＳ１０からの移行では、目標値の総累積値の設定や実績値の累積値のクリア等を行い、次の管理区分でのエネルギー消費量の管理に備えることになる。ステップＳ７からの移行では、現在の管理区分でのエネルギー消費量の管理を続行するための処理や、消費を認めるエネルギー量の超過分の割り当て、設備機器監視装置３を介したエネルギー消費量の抑制、等を必要に応じて行うこととなる。
【００６５】
なお、本実施形態では、管理区分の境界の到来に伴う次の管理区分への対応はステップＳＥ１或いはＳＥ２の異常処理を実行することで行っているが、定時処理内でその対応を行うようにしても良い。また、異常処理で実現させる機能を一つ以上、定時処理で実現させるようにしても良い。
【００６６】
本実施形態では、実績値と目標値の差分は１つの時間帯の目標値を変更することで修正
目標パターンデータを生成するようにしているが、その差分の大きさに応じて、複数の時間帯の目標値を変更するようにしても良い。また、過去における単位時間毎の実績値の変化を解析して一つ以上の基本的なパターンを抽出して登録しておき、その登録したパターンのなかから、現時点で得られた実績値の変化に類似するものを選択し、選択したパターンに沿って有効目標パターンデータを修正するようにしても良い。
【００６７】
上述したような管理装置１、或いはそれに搭載のパターン修正装置を実現させるようなプログラムは、ＣＤ−ＲＯＭ、ＤＶＤ、或いは着脱自在なフラッシュメモリ等の記録媒体に記録させて配布しても良い。公衆網等の通信ネットワークを介して、そのプログラムの一部、若しくは全部を配信するようにしても良い。そのようにした場合には、ユーザーはプログラムを取得して、そのような装置として用いることが可能なコンピュータにロードすることにより、そのコンピュータに本発明を適用させることができる。このことから、記録媒体は、プログラムを配信する装置がアクセスできるものであっても良い。
【図面の簡単な説明】
【００６８】
【図１】本実施形態によるエネルギー管理装置を用いて構築されたネットワークシステムの構成を示す図である。
【図２】定時処理のフローチャートである。
【図３】本実施形態におけるエネルギー管理の対象とするエネルギー消費量を説明する図である。
【図４Ａ】１時間毎のエネルギー消費量の実績値が目標値を下回った場合の目標値の修正方法を説明する図である。
【図４Ｂ】１時間毎のエネルギー消費量の実績値が目標値を下回った場合の目標値および実績値の累積値を示す図である。
【図５Ａ】１時間毎のエネルギー消費量の実績値が目標値を上回った場合の目標値の修正方法を説明する図である。
【図５Ｂ】１時間毎のエネルギー消費量の実績値が目標値を上回った場合の目標値および実績値の累積値を示す図である。
【図６】設定された目標値を説明する図である。
【図７】設定された上限値を説明する図である。
【図８】設定された管理区分を説明する図である。
【図９Ａ】目標パターンデータを修正して得られる修正目標パターンデータ、及びその管理方法を説明する図である（１時間毎のエネルギー消費量の実績値が目標値を下回った場合）。
【図９Ｂ】目標パターンデータを修正して得られる修正目標パターンデータ、及びその管理方法を説明する図である（１時間毎のエネルギー消費量の実績値が目標値を上回った場合）。
【符号の説明】
【００６９】
１    エネルギー管理装置
２    通信ネットワーク
３    設備機器監視装置
１０１    通信部
１０２    実績値記憶部
１０３    累積実績値記憶部
１０４    表示部
１０５    判定部
１０６    管理区分設定部
１０７    目標値修正部
１０８    目標値設定部
１０９    修正済目標値記憶部
１１０    累積目標値記憶部
１１１    入出力部
【図１】
0005023963.tif 000002
【図２】
0005023963.tif 000003
【図３】
0005023963.tif 000004
【図４Ａ】
0005023963.tif 000005
【図４Ｂ】
0005023963.tif 000006
【図５Ａ】
0005023963.tif 000007
【図５Ｂ】
0005023963.tif 000008
【図６】
0005023963.tif 000009
【図７】
0005023963.tif 000010
【図８】
0005023963.tif 000011
【図９Ａ】
0005023963.tif 000012
【図９Ｂ】
0005023963.tif 000013